【手続補正書】
【提出日】平成16年6月16日(2004.6.16)
【手続補正１】
【補正対象書類名】明細書
【補正対象項目名】発明の名称
【補正方法】変更
【補正の内容】
【発明の名称】配電盤
【手続補正２】
【補正対象書類名】明細書
【補正対象項目名】特許請求の範囲
【補正方法】変更
【補正の内容】
【特許請求の範囲】
【請求項１】
２つ以上の変圧ユニットにそれぞれ接続されて前記変圧ユニットと同数により構成されると共に、それぞれ複数個の配線用遮断器を有する配電盤において、
前記複数個の配線用遮断器を２つ以上の群に分け、前記群に分けられた前記配線用遮断器の１次側が前記群に対応して設けられた分割共通母線導体にそれぞれ接続され、
通常時は隣接する前記分割共通母線導体間が母線接続導体により接続され、各変圧ユニットから前記各変圧ユニットに対応して設けられている前記分割共通母線導体に接続される負荷に電力を供給し、
負荷救済時は故障した変圧ユニットに対応して設けられている前記分割共通母線導体同士が切り離され、前記切り離された分割共通母線導体が少なくとも他の変圧ユニットに電気的に接続されて前記他の変圧ユニットから前記故障した変圧ユニットに対応する負荷に電力を供給するように構成された配電盤。
【請求項２】
前記負荷救済時に前記分割共通母線導体が救済用電源に電気的に接続されて前記救済用電源から前記故障した変圧ユニットに対応する負荷に電力を供給するように構成された請求項１に記載の配電盤。
【請求項３】
前記配線用遮断器の群の数は前記変圧ユニットの数から１を差し引いたものである請求項１または２に記載の配電盤。
【請求項４】
前記母線接続導体は、前記配線用遮断器を収容する収納体からはみ出すように負荷救済時に接続し直される請求項１ないし３のいずれか１項に記載の配電盤。
【請求項５】
前記母線接続導体は、前記分割共通母線導体とボルトにより締め付けて接続するための導体接続用ボルト貫通孔が設けられ、前記導体接続用ボルト貫通孔が負荷救済時に負荷救済用ケーブルの接続に兼用される請求項１ないし４のいずれか１項に記載の配電盤。
【手続補正３】
【補正対象書類名】明細書
【補正対象項目名】０００１
【補正方法】変更
【補正の内容】
【０００１】    【産業上の利用分野】  本発明は、ビル、マンション等のような建造物の電気室に設けられる受配電設備を構成する配電盤に関するものである。 
【手続補正４】
【補正対象書類名】明細書
【補正対象項目名】０００２
【補正方法】変更
【補正の内容】
【０００２】    【従来の技術】  ビル、マンション等のような建造物の電気室には受配電設備が収容されており、ここから各階の動力、電灯負荷等への電力供給を行っている。
【手続補正５】
【補正対象書類名】明細書
【補正対象項目名】０００６
【補正方法】変更
【補正の内容】
【０００６】    【発明が解決しようとする課題】  ところで、従来の配電盤を用いた受配電設備においては、例えば受配電ユニット２′を構成する変圧ユニット２ａの配電用変圧器２a2が故障して電力が供給できなくなった場合、その受配電ユニット２′に対応する負荷に、他の健全な受配電ユニット３′ないし受配電ユニット６′のいずれかから電力を供給して負荷を一括救済するようにしている。負荷救済時には、他の健全な受配電ユニット、例えば受配電ユニット３′の配電用変圧器３a2の低圧側と故障した受配電ユニット２′の配電盤２ｂの共通母線導体２b2とを図示しない負荷救済用ケーブルで接続して、受配電ユニット２′が故障しているにも拘わらず、この受配電ユニット２′から電力を供給するようにしている。
【手続補正６】
【補正対象書類名】明細書
【補正対象項目名】０００８
【補正方法】変更
【補正の内容】
【０００８】  本発明の目的は、健全な受配電ユニット（変圧ユニット）から故障した受配電ユニット（変圧ユニット）に対応する負荷に電力を供給して負荷を分割救済できるようにした配電盤を提供することにある。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】    【課題を解決するための手段】  請求項１に記載の発明は、２つ以上の変圧ユニットにそれぞれ接続されて変圧ユニットと同数により構成されると共に、それぞれ複数個の配線用遮断器を有する配電盤を対象とし、複数個の配線用遮断器を２つ以上の群に分け、群に分けられた配線用遮断器の１次側が群に対応して設けられた分割共通母線導体にそれぞれ接続され、通常時は隣接する分割共通母線導体間が母線接続導体により接続され、各変圧ユニットから各変圧ユニットに対応して設けられている分割共通母線導体に接続される負荷に電力を供給し、負荷救済時は故障した変圧ユニットに対応して設けられている分割共通母線導体同士が切り離され、切り離された分割共通母線導体が少なくとも他の変圧ユニットに電気的に接続されて他の変圧ユニットから故障した変圧ユニットに対応する負荷に電力を供給するように構成したものである。
【手続補正９】
【補正対象書類名】明細書
【補正対象項目名】００１１
【補正方法】変更
【補正の内容】
【００１１】  請求項１に記載の発明においては、分割共通母線導体を採用したことにより、健全な変圧ユニットから故障した変圧ユニットに対応する負荷に電力を供給して負荷の分割救済が行え、しかも、変圧ユニットの配電用変圧器の各容量低減が行える。
【手続補正１０】
【補正対象書類名】明細書
【補正対象項目名】００１２
【補正方法】変更
【補正の内容】
【００１２】  請求項２に記載の発明は、負荷救済時に分割共通母線導体が救済用電源に電気的に接続されて救済用電源から故障した変圧ユニットに対応する負荷に電力を供給するように構成したものである。
【手続補正１１】
【補正対象書類名】明細書
【補正対象項目名】００１３
【補正方法】変更
【補正の内容】
【００１３】  請求項２に記載の発明においては、負荷救済時に救済用電源を用いることにより、他の健全な受配電ユニット数の不足分が救済用電源で補える。
【手続補正１２】
【補正対象書類名】明細書
【補正対象項目名】００１４
【補正方法】変更
【補正の内容】
【００１４】  請求項３に記載の発明は、配線用遮断器の群の数を、変圧ユニットの数から１を差し引くようにしたものである。
【手続補正１３】
【補正対象書類名】明細書
【補正対象項目名】００１５
【補正方法】変更
【補正の内容】
【００１５】  請求項３に記載の発明においては、群の数を、変圧ユニットの数から１を差し引くことにより、変圧ユニットの配電用変圧器の各容量低減が最大になる。
【手続補正１４】
【補正対象書類名】明細書
【補正対象項目名】００１６
【補正方法】変更
【補正の内容】
【００１６】  請求項４に記載の発明は、母線接続導体を、配線用遮断器を収容する収納体からはみ出すように負荷救済時に接続し直されるようにしたものである。
【手続補正１５】
【補正対象書類名】明細書
【補正対象項目名】００１７
【補正方法】変更
【補正の内容】
【００１７】  請求項４に記載の発明においては、母線接続導体を収納体からはみ出すように接続したことにより、負荷救済用ケーブルが容易に接続される。
【手続補正１６】
【補正対象書類名】明細書
【補正対象項目名】００１８
【補正方法】変更
【補正の内容】
【００１８】  請求項５に記載の発明は、母線接続導体を、分割共通母線導体とボルトにより締め付けて接続するための導体接続用ボルト貫通孔が設けられ、導体接続用ボルト貫通孔が負荷救済時に負荷救済用ケーブルの接続に兼用されるようにしたものである。
【手続補正１７】
【補正対象書類名】明細書
【補正対象項目名】００１９
【補正方法】変更
【補正の内容】
【００１９】  請求項５に記載の発明においては、導体接続用ボルト貫通孔を負荷救済用ケーブルの接続に兼用したことにより、貫通孔の数が減る。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２４
【補正方法】変更
【補正の内容】
【００２４】  負荷救済時、例えば、受配電ユニット３が故障した場合には、図３（Ｂ）に示すように、母線接続導体３B4が第１の分割共通母線導体３Ｂ31から切り離され、収納体３B2からはみ出すように第２の分割共通母線導体３Ｂ32に接続し直される。また、図２（Ｂ）に示した引き込み用ケーブル８が第１の分割共通母線導体３Ｂ31の上端から切り離される。その後、これらの母線接続導体３B4，３B4，３B4（１相分のみ表示）に３相の負荷救済用ケーブル１０，１０，１０（１相分のみ表示）の一端は例えばボルト（図示しない）により接続され、他端は他の健全な受配電ユニット、例えば受配電ユニット２の配電用変圧器２A2の低圧側と接続される。また、図示しない負荷救済用ケーブルの一端は、引き込み用ケーブル８が接続されていた第１の分割共通母線導体３Ｂ31の上端に接続され、他端は他の健全な受配電ユニット、例えば受配電ユニット４の配電用変圧器４A2の低圧側と接続されて、受配電ユニット３が故障しているにも拘わらず、この受配電ユニット３から電力を供給するようにしている。このように、第１群の配線用遮断器３Ｂ11，３Ｂ11…及び第２群の配線用遮断器３Ｂ12，３Ｂ12…を介して受配電ユニット３に対応する負荷に電力を供給して負荷を分割救済できるようになっている。
【手続補正２１】
【補正対象書類名】明細書
【補正対象項目名】００２９
【補正方法】変更
【補正の内容】
【００２９】  上記の実施形態では、配線用遮断器の群の数が受配電ユニット数よりも少ない場合であったが、配線用遮断器の群の数が受配電ユニット数と同じである場合、受配電ユニット数及び配線用遮断器の群の数が例えば２つの場合、負荷救済時に分割共通母線導体の一方を健全な受配電ユニットに接続し、分割共通母線導体の他方を救済用電源、例えば移動式変電所に電気的に接続し、健全な受配電ユニット及び救済用電源から故障した受配電ユニットに対応する負荷に電力を供給するようにしてもよい。このように、全部の負荷を救済することができる。
【手続補正２２】
【補正対象書類名】明細書
【補正対象項目名】００３２
【補正方法】変更
【補正の内容】
【００３２】  さらに上記の実施形態では、負荷救済時に他の健全な受配電ユニットから全部の分割共通母線導体を介して電力を供給するようにしているが、全部の負荷を救済するのではなく、分割共通母線導体のうちの選択された分割共通母線導体、例えば、重要な負荷が接続された分割共通母線導体であってもよい。
【手続補正２３】
【補正対象書類名】明細書
【補正対象項目名】００３３
【補正方法】変更
【補正の内容】
【００３３】    【発明の効果】  以上のように、請求項１に記載した発明によれば、分割共通母線導体を採用したことにより、健全な変圧ユニットから故障した変圧ユニットに対応する負荷に電力を供給して負荷の分割救済が行え、しかも、変圧ユニットの配電用変圧器の各容量低減が行えるので、このように構成される配電盤を用いた受配電設備のコストを低減させることができる。
【手続補正２４】
【補正対象書類名】明細書
【補正対象項目名】００３４
【補正方法】変更
【補正の内容】
【００３４】  請求項２に記載した発明によれば、負荷救済時に救済用電源を用いることにより、受配電ユニット数及び配線用遮断器の群の数が同じ構成に対しても、他の健全な受配電ユニット数の不足分が救済用電源で補えるので、故障した変圧ユニットに対応する負荷の全部に電力を供給することができる。
【手続補正２５】
【補正対象書類名】明細書
【補正対象項目名】００３５
【補正方法】変更
【補正の内容】
【００３５】  請求項３に記載した発明によれば、配線用遮断器の群の数を変圧ユニットの数から１を差し引くことにより、変圧ユニットの配電用変圧器の各容量低減が最大になるので、このように構成される配電盤を用いた受配電設備のコストを最大に低減させることができる。
【手続補正２６】
【補正対象書類名】明細書
【補正対象項目名】００３６
【補正方法】変更
【補正の内容】
【００３６】  請求項４に記載した発明によれば、母線接続導体を収納体からはみ出すように接続したことにより、負荷救済用ケーブルが容易に接続されるので、負荷救済作業が簡素化できる。
【手続補正２７】
【補正対象書類名】明細書
【補正対象項目名】００３７
【補正方法】変更
【補正の内容】
【００３７】  請求項５に記載の発明によれば、導体接続用ボルト貫通孔を負荷救済用ケーブルの接続に兼用したことにより、貫通孔の数が減るので、孔開け作業が簡素化できる。
【手続補正２８】
【補正対象書類名】明細書
【補正対象項目名】００３８
【補正方法】削除
【補正の内容】